(57)【要約】【課題】土砂の投入において、投入土砂量を多くできながら、土砂が立ち上がり堰部の向こう側に入り込まず、しかも、立ち上がり堰部の上端が、締め固めた投入土の上方に突出するのを防げる土留め具及び土留め方法等を提供する。【解決手段】土留め具１は、土留め用の立ち上がり堰部３を備え、該立ち上がり堰部３が、その高さ方向中間部位置においてそれよりも上方部３ａを曲げて傾け、低背化できるようになされている。該土留め具１を用い、その立ち上がり堰部３の一方の側に土砂を投入し該土砂を上から圧して締め固めた後、立ち上がり堰部の上方部を曲げて傾け、低背化する。【選択図】      図１
2005105624.tif 000002
【特許請求の範囲】
【請求項１】
土留め用の立ち上がり堰部を備え、該立ち上がり堰部が、その高さ方向中間部位置においてそれよりも上方部を曲げて傾け、低背化できるようになされていることを特徴とする土留め具。
【請求項２】
土留め用の立ち上がり堰部を備え、該立ち上がり堰部が、その高さ方向中間部位置においてそれよりも上方部を曲げて傾け、低背化できるようになされた土留め具を用い、
該土留め具の立ち上がり堰部の一方の側に土砂を投入し該土砂を上から圧して締め固めた後、
該立ち上がり堰部の上方部を曲げて傾け、低背化することを特徴とする土留め方法。
【請求項３】
土留め用の立ち上がり堰部を備え、該立ち上がり堰部が、その高さ方向中間部位置においてそれよりも上方部を曲げて傾け、低背化できるようになされた土留め具を用い、
該土留め具の立ち上がり堰部の一方の側に土砂を投入し該土砂を上から圧して締め固めた後、
該立ち上がり堰部の上方部を曲げて傾け、低背化し、しかる後、
コンクリートを、立ち上がり堰部を挟む一方の側と他方の側とにわたすように打ち込むことを特徴とする土留めを伴うコンクリートの打込み方法。
【発明の詳細な説明】
【技術分野】
【０００１】
本発明は、土木建築分野などで用いられる土留め具、土留め方法及び土留めを伴うコンクリートの打込み方法に関する。
【背景技術】
【０００２】
例えば、建物の基礎の施工において、基礎部のコンクリートと床下などの土間部のコンクリートとを一括して打ち込むような場合に、図４（イ）に示すように、基礎立ち上がり部５１における土間５２側の型枠５３の外側付近に土を埋め戻すことなくコンクリート５４の打込みを行うと、コンクリート５４の打設量が無用に多くなって不経済であると共に、基礎形状の管理も難しくなることから、図４（ロ）に示すように、基礎立ち上がり部５１における土間５２側の型枠５３の外側付近にＬ形の土留め具５５を設置し、土砂５６を該土留め具５５の立ち上がり堰部５５ａで堰き止めながら投入し、そして、この投入土５６を転圧等により上から圧して締め固め、しかる後、コンクリート５４の打込みを行うことが考えられている。
【発明の開示】
【発明が解決しようとする課題】
【０００３】
しかしながら、上記のような土留め具５５では、土砂５６の投入において、土砂５６が土留め具５５の立ち上がり堰部５５ａの上端を越え、コンクリート打込み空間内に入り込んでしまうおそれがある。
【０００４】
そうならないように、土留め具５５の立ち上がり堰部５５ａの立ち上がり高さ寸法を大きくすることも考えられるが、それでは、土留め具５５の立ち上がり堰部５５ａの上端側がコンクリート５４中に大きく突出してしまうことになり、好ましくない。また、土砂５６の投入量を少なくすることも考えられるが、それでは、コンクリート５４の打設量を増大させてしまうことになる。
【０００５】
本発明は、上記のような問題点に鑑み、土砂の投入において、投入土砂量を多くすることができながら、土砂が立ち上がり堰部の向こう側に入り込まず、しかも、立ち上がり堰部の上端が、締め固めた投入土の上方に突出するのを抑えることができるないしは防ぐことができる土留め具及び土留め方法等を提供することを課題とする。
【課題を解決するための手段】
【０００６】
上記の課題は、土留め用の立ち上がり堰部を備え、該立ち上がり堰部が、その高さ方向中間部位置においてそれよりも上方部を曲げて傾け、低背化できるようになされていることを特徴とする土留め具によって解決される。
【０００７】
この土留め具では、土砂の投入において、土砂が立ち上がり堰部の向こう側に入り込まないように、立ち上がり堰部の立ち上がり高さ寸法を大きくし、立ち上がり堰部の上端高さ位置よりも低い高さ所定の位置まで土砂を投入することで、投入土砂量を多くすることができる。そして、投入した土砂を必要に応じて上から圧して締め固めた後、立ち上がり堰部の上方部を曲げて傾け、低背化することで、立ち上がり堰部の上端が、締め固めた投入土の上方に突出するのが抑えられ、ないしは、防がれる。しかも、立ち上がり堰部の上方部を曲げることを行うだけで低背化できるので、低背化を施工容易に行うことができる。
【０００８】
また、上記の課題は、土留め用の立ち上がり堰部を備え、該立ち上がり堰部が、その高さ方向中間部位置においてそれよりも上方部を曲げて傾け、低背化できるようになされた土留め具を用い、
該土留め具の立ち上がり堰部の一方の側に土砂を投入し該土砂を上から圧して締め固めた後、
該立ち上がり堰部の上方部を曲げて傾け、低背化することを特徴とする土留め方法によっても同様に解決される。
【０００９】
更に、本発明は、土留め用の立ち上がり堰部を備え、該立ち上がり堰部が、その高さ方向中間部位置においてそれよりも上方部を曲げて傾け、低背化できるようになされた土留め具を用い、
該土留め具の立ち上がり堰部の一方の側に土砂を投入し該土砂を上から圧して締め固めた後、
該立ち上がり堰部の上方部を曲げて傾け、低背化し、しかる後、
コンクリートを、立ち上がり堰部を挟む一方の側と他方の側とにわたすように打ち込むことを特徴とする土留めを伴うコンクリートの打込み方法として構成されるのもよい。
【００１０】
このコンクリートの打込み方法では、投入土がコンクリートの打込み空間に入り込むのを防ぐことができ、それでいて、投入土の量を多くすることができてコンクリートの打設量を減らすことができ、しかも、土留め具の立ち上がり堰部がコンクリート中に突出してしまうのを抑えるないしは防ぐことができる。立ち上がり堰部の低背化も、曲げるだけであり、容易に行うことができる。
【発明の効果】
【００１１】
本発明の土留め具及び土留め方法は、以上のとおりのものであるから、土砂の投入において、投入土砂量を多くすることができながら、土砂が立ち上がり堰部の向こう側に入り込まず、しかも、立ち上がり堰部の上端が、締め固めた投入土の上方に突出するのを抑えることができるないしは防ぐことができる。
【００１２】
また、本発明の土留めを伴うコンクリートの打込み方法も、以上の通りのものであるから、投入土がコンクリートの打込み空間に入り込むのを防ぐことができ、それでいて、投入土の量を多くすることができてコンクリートの打設量を減らすことができ、しかも、土留め具の立ち上がり堰部がコンクリート中に突出してしまうのを抑えるないしは防ぐことができる。
【発明を実施するための最良の形態】
【００１３】
次に、本発明の実施最良形態を図面に基づいて説明する。
【００１４】
図１（イ）（ロ）（ハ）に示す実施形態の土留め具１は、ベース板部２と板状の立ち上がり堰部３とを備えた側面視Ｌ形の板状加工品からなっていて、金属あるいは樹脂でつくられている。そして、立ち上がり堰部３は、その高さ方向中間部位置において、それよりも上方部３ａを曲げて傾け、低背化できるようになされている。
【００１５】
そのため、本実施形態では、立ち上がり堰部３の高さ方向中間部位置に、それよりも上方部３ａを曲げやすくするための先行曲がり部４が備えられている。該先行曲がり部４は、表裏の一方が凸、他方凹のリブ５からなっており、該リブ５は、その高さ位置を水平方向に延ばされており、また、リブ突出側が土砂側に向けられるようにして備えられている。
【００１６】
なお、先行曲がり部４は、図１（ニ）に示すように、立ち上がり堰部３の高さ方向中間高さ位置において水平方向に波線状に入れられたスリット６…からなっていてもよいし、また、図示しない、その部分のみ薄肉にするしたものからなっていてもよいし、その他からなっていてもよいし、要は、立ち上がり堰部３の高さ方向中間部位置に備えられ、それよりも上方部３ａを傾けて曲げやすくするようなものであればよい。
【００１７】
上記の土留め具１は、例えば、土留めを伴う図２及び図３に示すようなコンクリート打込み方法に用いることができる。この打込み方法は、基礎部７のコンクリートと、床下等の土間部８のコンクリートとを一括して打ち込むもので、まず、図２（イ）に示すように、地盤を掘削して地業を行い、その上に基礎立ち上がり部コンクリート成形用の型枠９，１０を設置すると共に、土間側の型枠１０の外側に土留め具１を設置する。土留め具１の立ち上がり堰部３の高さ寸法は、そのままでは上端がコンクリート中に突出してしまうような背高な寸法に設計されている。
【００１８】
次いで、図２（ロ）に示すように、土留め具１の立ち上がり堰部３を挟んで土間側部分に埋戻しの土砂１１を投入し、該投入土１１を転圧などで上から圧して締め固める。土留め具１の立ち上がり堰部３の高さ寸法は上記のように背高に設計されているので、立ち上がり堰部３の上端高さ位置よりも低い所定の高さ位置まで土砂１１を投入して締固めを行っても、投入土砂量が少なくなることはなく、しかも、コンクリート打込み空間１３に土砂１１が入り込んでしまうのを防ぐことができる。
【００１９】
そして、図２（ハ）に示すように、立ち上がり堰部３の上方部３ａを、足で踏みつけるなどして、投入土１１側に曲げて傾け、立ち上がり堰部３を低背化し、立ち上がり堰部３の上端高さ位置が投入土１１の上面高さ位置と略一致するようにする。
【００２０】
しかる後、図３に示すように、基礎部７と土間部８のコンクリート１２の打込みを一括して行う。土留め具１の立ち上がり堰部３は、上方部３ａが曲げて傾けられ、その上端部高さ位置が投入土１１の高さ位置と一致しているので、コンクリート１２中に突出してしまうことはなく、例えば、土間部８のコンクリートを無用に厚くしてしまうのを防ぐことができるし、土間部８と基礎部との間でコンクリート１２の割れを生じるようなことも防ぐことができる。
【００２１】
以上に、本発明の実施形態を示したが、本発明はこれに限られるものではなく、発明思想を逸脱しない範囲で各種の変更が可能である。例えば、本発明のコンクリート打込み方法は、上記のような基礎部と土間部のコンクリートの一括打ちに限らず、各種コンクリートの打込みに用いられてよい。また、本発明の土留め具及び土留め方法は、コンクリートの打込みに限らず、その他各種目的において行われる土留めに広く用いることができるものである。
【図面の簡単な説明】
【００２２】
【図１】実施形態の土留め具を示すもので、図（イ）は第１実施形態の土留め具の端面図、図（ロ）は使用方法を示す同端面図、図（ハ）は同土留め具の斜視図、図（ニ）は第２実施形態の土留め具の斜視図である。
【図２】図（イ）〜図（ハ）は、図３（イ）と共に施工方法の一例を順次に示す断面図である。
【図３】図（イ）は図２（イ）〜（ハ）と共に施工方法の一例を順次に示す断面図、図（ロ）は要部拡大断面図である。
【図４】図（イ）及び図（ロ）はそれぞれ、背景技術を示す断面図である。
【符号の説明】
【００２３】
１…土留め具
３…立ち上がり堰部
３ａ…上方部
４…先行曲がり部
１１…土砂
１２…コンクリート
１３…コンクリート打込み空間部
【図１】
2005105624.tif 000003
【図２】
2005105624.tif 000004
【図３】
2005105624.tif 000005
【図４】
2005105624.tif 000006